(57)【要約】      （修正有）【課題】ワイヤー、アンカー、フックやビスを使用せず、複数の軽量の額縁ないしパネルを同時に、かつ容易に位置を揃えて掛けることができ、その額縁ないしパネルは重心が編芯して下を向いて傾くこともなく、取り付けワイヤーや長さ調整器具も露出しないので見栄えも良いパネル取り付け部材を提供する。【解決手段】薄いプレート部をもつ二つの部材を使い、一方を壁側に、一方を額縁やパネルに取り付けておき、後者のプレートが前者のプレートの上に載るとともに落下しないようにしておく。石膏ボード下地がない場合でも、せん断強度の期待できる大きめのピンを複数使うことにより石膏ボードに損傷を与えない。さらに、高さの位置出し、水平傾き調整、左右の微調整などが容易である。【選択図】図５
0003159390.tif 000002
【実用新案登録請求の範囲】
【請求項１】
凸状の引掛け部のついた、上部が直線の、釘穴状の小さい穴が複数あいた薄いプレート部をもつ部材Ａと、その上に載る、下部が直線の、中央部にビス用の穴のある、部材Ａと同じ厚さのプレートをもつ部材Ｂの組み合わせにより成り立ち、部材Ａは石膏ボード壁にピンにて取り付けられ、部材Ｂは事前にパネルなど板状のものに接着され、パネルとプレートの間に、上記引掛け部の入る隙間を持ち、部材Ａの上に部材Ｂが載る構造をもつ軽量の額縁や薄いパネルを取り付ける部材。
【考案の詳細な説明】
【技術分野】
【０００１】  本考案は額縁やパネルなどを壁に取り付けるための部材に関するものである。
【背景技術】  従来の技術によると、軽量で薄いパネルや額縁を石膏ボードの壁に掛ける場合、直接その裏に両面接着テープを張ったり、やや重量があれば事前にパネルや額縁に紐を掛けておき、壁下地にビスを留めてワイヤーや紐などで事前に掛けたパネルなどの紐と結ぶことによりパネルなどを吊るす。パネルの微妙な高さ調整のためには長さ調整機能付きの吊具を使用する。さらに石膏ボードなどの中空の壁で下地がない場合は、専用の金具を使うが、石膏ボードアンカーを使用するタイプと石膏ボードピンで留めるフックタイプがある。アンカータイプは石膏ボードにある程度の穴があき、ピンで留めるタイプは、フックタイプであり、荷重の作用点が壁から離れ、引き抜き力がかかる。
【先行技術文献】
【０００２】
【非特許文献１】  株式会社ニチエイ  製品カタログ
【考案の概要】
【考案が解決しようとする課題】
【０００３】  一般の住宅の内壁に軽量の薄いパネルを取り付ける場合、まず壁に直接、両面テープを使用して取り付けることが考えられるが、テープの接着強度が低いと落下し、強すぎるとはがれなくなり壁のビニールクロス表面やパネルを損傷させる。額縁やパネルを交換するためにはビス止めが考えられるが薄いパネル自体に直接ビス止めすることはパネルの厚みとパネル部材の強度の点で難しい。次にパネルを額縁に入れることが考えられる。しかし額縁はそれなりに重いため、ビスを留める相手側の壁の強度がますます必要となる。しかし通常の石膏ボードの壁の場合、強度の確保される下地の木部や軽量鋼がどこの位置にあるのかは見た目ではわからない。石膏ボードを取り付ける下地のスパンは通常、横方向では４５ｃｍ以上のピッチで施工されているため、下地の木部等が額縁やパネルを掛けたい場所にあるとは限らず、多くの場合期待できない。さらにその石膏ボードを壁に取り付ける水平方向の下地の高さは天井付近か、高さ１８０ｃｍ程度にあることが多いが、額縁やパネルを飾る高さとしては限定され、下地のある位置にビス留めしてからワイヤーなどにより適宜、額縁の位置まで吊るすことになる。さらに複数の額縁を取り付けようとするとそれらの額縁の高さ位置を揃えるための数ミリの単位の調整が困難であり、長さ調整機能付きの吊り下げ器具を使用することになるがそれらは高価で、かつ露出して目立つため見た目が悪いという問題がある。
そのため、額縁を取りつける時は、石膏ボードの下地のない場所でも取りつけることを前提として、軽量物であればビスを使用しないで複数のピンを使用した額吊金具（取り付けフック）、重量物であれば石膏ボードビス留めアンカーとフックを取り付けることが考えられる。しかし額縁などを取り付ける場合、額吊金具はそれ自体に厚みがあるため、額縁の裏側に隠すとパネルが下向きにお辞儀してしまう。そのためパネルの上部に額吊金具に設置すると、額縁の上部に露出してしまう。額吊金具にたいして額側に直接引掛ける額受け金具を用いると、小型の額の多くは縁の枠断面が小さいため、ビスを留めることにより額縁が割れることがある。さらに、それらの額をフックに掛ける部分、つまり荷重の作用点は壁面から離れるため、その寸法だけ梃子の原理により引き抜きのモーメント力がかかるので抜けやすい。額吊金具と額との緊結にワイヤー状のものを使用すると、その取り付け構造が露出してしまうこともあり、絵の防犯管理上も望ましくない。また石膏ボードビス留めアンカー類の場合は、石膏ボード取り付け下地がなくても強度は確保できるが、壁内にアンカーを埋めるため、石膏ボードに大きな穴が開いてしまうという問題があり、後でその額縁を撤去する場合、表面の壁紙の補修工事などの手間が大変なことになるため、原状回復義務のある賃貸住宅などの場合にはアンカーの施工ができない。
【課題を解決しようとするための手段】
【０００４】  取付け部材は、Ａ、Ｂ二つのパーツによって構成され、Ａは壁に、Ｂはパネルの裏面の上部に事前に取り付けられる。パネルの場合では軽量な額縁に入れても部材Ｂはその額の裏面の上部に取り付ける。
取付け部材Ａ及びＢの全体の厚みは３〜５ミリ程度のためパネルの裏の上部に接着して設置しても目立って下に傾かない。部材Ｂにはビス穴が設置されているため、たまたま石膏ボードの下地が、掛けたい額縁、パネルの中心位置にある時は、その下地位置に直接ビスを打ち、単独で額縁、パネルを保持することができる。
壁に取り付ける部材Ａは額縁やパネルを掛けたい中心位置に下地がない時、あるいは位置が不明な時に使用し、画鋲よりやや太い１．５ミリ径程度の長いカーペット取り付けなどにも使われる頭部が平たく、薄い特殊なピンを、額縁とパネルの荷重に応じて複数個使用して、石膏ボードの壁に事前に取り付けておく。部材Ａと部材Ｂの各々のプレートは、１〜２ミリと薄いが、長さが長いので十分荷重を伝達し、同時に横に長いため水平の位置を出しやすく、パネルや額縁の取り付け後は、その水平は簡単に確保できる。部材Ａの薄いプレートの上に部材Ｂの、同じ厚みのプレートが載り、パネルプレートで荷重の力を伝達する。プレートは壁に接しているため、モーメントとしての梃子の原理が働かず、せん断力しかかからないため引き抜きの力が起きない。さらに二つの部材が寸法的に重ならないためパネルの裏の厚みは部材Ｂより厚くならない。また、部材Ａに設置された引掛け部材が部材Ｂと上に載るパネル本体との隙間に入るが左右のクリアランスがあるため左右の位置調整は容易である。また取付け部材は薄く、出っ張らないため額縁やパネルの裏に隠すことができ、見えず、正面や側面からも見えにくい。
【考案の効果】
【０００５】  壁に下地があるかどうかに関わらず、またワイヤー、アンカー、フックやビスを使用せず、複数の軽量の額縁ないしパネルを同時に、かつ容易に位置を揃えて掛けることができ、その額縁ないしパネルは重心が編芯して下を向いて傾くこともなく、取り付けワイヤーや長さ調整器具も露出しないので見栄えも良く、ワイヤー類のコストもかからず取り付け部が見えないため防犯上も安心であり、簡単に額縁ないしパネルを交換することもできる。さらに大きなビス穴やアンカー類の後も残らず、パネルや額縁を撤去してもピン穴の補修程度で済むために大掛かりな補修が不要である。壁設置の高さも正確に行え、左右位置の調整も簡単であり、また額やパネルは調整せずに水平を保つ。
【図面の簡単な説明】
【０００６】
【図１】部材Ｂとそれをパネル裏に取り付けた見取り図
【図２】壁の部材Ｂを介してパネル、もしくは額縁を取付けた断面図
【図３】部材Ａを石膏ボード壁に取り付けた見取り図
【図４】壁に部材Ａを取り付け、その上に部材Ｂ、つまりパネル、額縁を取付けた断面図
【図５】部材Ａと部材Ｂの図
【考案を実施するための形態】
【０００７】  軽量の薄いパネルや軽量の額縁を下地の強度に期待できない石膏ボードの壁にとりつけるために、頭の平たいピンを使用し、引き抜き力が発生しないように、壁面に密着させた薄いプレートをもつ二つの部材を介して、軽量の薄いパネルや軽量の額縁を取り付ける。
【実施例】
【０００８】  考案の実施の形態について図面を参照して説明する。額縁ないしパネルを掛けたい位置に壁下地がある場合、部材Ｂのみを使って取り付ける。図１のように、部材Ｂは事前に額縁やパネルの中央上部に接着などにより水平に取り付けられる。次に壁の下地を事前に見つけることができれば、その部分に額縁ないしパネルの取り付け位置を壁に位置出し（墨出し）し、同時にその額縁ないしパネルの中央にある部材Ｂのビス穴位置を勘案して、部材Ｂのプレートの厚み、数ミリを残してビス留めする。そのビスに対してビス頭よりやや大きなビス穴を持つ部材Ｂ、つまり額縁ないしパネルを上から差し込むことにより額縁やパネルは図２のように固定される。
次に図３のように石膏ボード壁に下地がない場合であるが、部材Ｂを事前に額縁ないしパネル接着しておくことは同様である。この接着はパネルの生産時にしておくことも生産効率上望ましい。
まず壁に事前に壁に位置出し（墨出し）された位置に部材Ａを取り付ける。具体的な取付け方法であるが、画鋲より長く、頭が平たく薄い、カーペットの取り付けに使われる特殊なピンを複数使い取り付けられる。その後に図４のように、部材Ｂを取り付けた額縁やパネルを被せるように部材Ａに載せるが、部材Ｂの裏面の空隙に部材Ａの引掛け部が引っ掛かり、部材のプレートの厚みは薄いが長さが長いため荷重を水平に支えることができ、さらにそのプレートはいずれも壁と接しているためピンにモーメントとしての引き抜き力が発生せず、額は石膏ボードとのせん断力が保たれるかぎり落下しない。そのせん断力はピンの数により決まるため、重い場合はピンの数を適宜増やすことで対応する。
【図１】
0003159390.tif 000003
【図２】
0003159390.tif 000004
【図３】
0003159390.tif 000005
【図４】
0003159390.tif 000006
【図５】
0003159390.tif 000007